(57)【要約】【課題】圧縮機電流検出手段を具備することなく圧縮機消費電力を推定し、吐出圧力を高い精度で推定することができる、安価な冷凍サイクル装置を提供すること。【解決手段】圧縮機で消費される電力を推定する圧縮機消費電力推定手段として、前記冷凍サイクル装置に供給される電源の電流値を検出する電源電流検出手段と、前記電源の交流電圧が０Ｖを交叉するゼロクロスを検出するゼロクロス検出手段と、前記ゼロクロスの周期を用いて前記電源の電圧を推定する電源電圧推定手段を備え、前記蒸発器温度と前記外気温度と前記圧縮機回転数と前記圧縮機消費電力とを用いて前記圧縮機より吐出される冷媒の圧力を推定する吐出圧力推定手段を備え、前記吐出圧力推定手段により推定した吐出圧力に基づいて前記圧縮機または前記膨張弁を制御して動作させる。【選択図】図１
2013133966.tif 000002
【特許請求の範囲】
【請求項１】
少なくとも圧縮機、放熱器、膨張弁、蒸発器が環状に接続されて冷媒が循環する冷媒回路と、前記蒸発器を循環する冷媒の温度を検出する蒸発器温度検出手段と、外気温度を検出する外気温度検出手段と、前記圧縮機の回転数を検出する圧縮機回転数検出手段とを備えた冷凍サイクル装置において、前記圧縮機で消費される電力を推定する圧縮機消費電力推定手段として、前記冷凍サイクル装置に供給される電源の電流値を検出する電源電流検出手段と、前記電源の交流電圧が０Ｖを交叉するゼロクロスを検出するゼロクロス検出手段と、前記ゼロクロスの周期を用いて前記電源の電圧を推定する電源電圧推定手段を備え、前記蒸発器温度と前記外気温度と前記圧縮機回転数と前記圧縮機消費電力とを用いて前記圧縮機より吐出される冷媒の圧力を推定する吐出圧力推定手段を備え、前記吐出圧力推定手段により推定した吐出圧力に基づいて前記圧縮機または前記膨張弁を制御して動作させることを特徴とする冷凍サイクル装置。
【請求項２】
前記冷凍サイクル装置に供給される電源の交流電圧を整流、平滑した直流電圧を検出する直流電圧検出手段を備え、前記圧縮機運転前に前記直流電圧検出手段にて検出される直流電圧と、前記圧縮機運転前に前記ゼロクロス検出手段にて検出されるゼロクロスの周期を用いて、前記電源電圧推定手段で推定する電源の電圧値を補正することを特徴とする請求項１に記載の冷凍サイクル装置。
【請求項３】
前記蒸発器内の冷媒蒸発促進のための送風機と、前記送風機の回転数を検出する送風機回転数検出手段と、検出された回転数より、前記送風機にて消費される電力を算出する送風機消費電力推定手段とを備え、前記圧縮機消費電力値は前記送風機消費電力値分を減算した値とすることを特徴とする請求項１または２に記載の冷凍サイクル装置。
【請求項４】
少なくとも前記圧縮機、前記膨張弁、前記送風機等を制御する制御部と、前記制御部で消費される電力を前記電源電流検出手段にて検出された電流値より算出する制御部消費電力推定手段を備え、前記圧縮機消費電力値は前記制御部消費電力値分を減算した値とすることを特徴とする請求項１から３のいずれか１項に記載の冷凍サイクル装置。
【請求項５】
前記吐出圧力推定手段により推定した吐出圧力が予め設定された目標値に一致するように前記圧縮機または減圧機構を制御して動作させることを特徴とする請求項１から４のいずれか１項に記載の冷凍サイクル装置。
【請求項６】
前記吐出圧力推定手段により推定した吐出圧力が予め設定された閾値を超えると前記圧縮機または減圧機構を制御して動作させることを特徴とする請求項１から５のいずれか１項に記載の冷凍サイクル装置。
【請求項７】
圧縮機駆動時、冷媒回路の高圧は超臨界圧力で運転することを特徴とする請求項１から６のいずれか１項に記載の冷凍サイクル装置。
【請求項８】
冷媒として、二酸化炭素を用いることを特徴とする請求項７に記載の冷凍サイクル装置。
【発明の詳細な説明】
【技術分野】
【０００１】
本発明は、高圧側において超臨界となり得る物質を冷媒として用いる冷凍サイクル装置に関するものである。
【背景技術】
【０００２】
図９は従来のヒートポンプ給湯機に搭載の冷凍サイクル装置の構成図である。冷媒回路５は、圧縮機１、放熱器２、膨張弁３、蒸発器４の順で環状に接続され、構成されている。入水配管６と出湯配管７は放熱器２に接続されている。また、圧力スイッチ８は、圧縮機１と放熱器２との間の冷媒回路５から分岐した分岐配管１０に連結されている。スイッチ手段９は、冷凍サイクル装置に供給されるＡＣ電源回路上に備えられる。分岐配管１０は、圧縮機１と放熱器２との間の冷媒回路５から分岐して圧力スイッチ８を連結している（例えば、特許文献１参照）。
【０００３】
圧縮機１から吐出された高圧の冷媒は放熱器２へ供給され、放熱器２において水と熱交換を行って放熱した後に膨張弁３に供給される。膨張弁３にて減圧された後、蒸発器４に供給されて吸熱した後、圧縮機１へ吸入される。圧縮機１から吐出される冷媒の吐出圧力が臨界圧力以下である冷凍サイクル装置（例えば、Ｒ４１０Ａを冷媒として使用する空気調和機に搭載の冷凍サイクル装置）においては、凝縮器の凝縮温度から吐出圧力を推定し、吐出圧力の異常上昇を認知することができるものの、吐出圧力が臨界圧力を超える冷凍サイクル装置（例えば、二酸化炭素を冷媒として使用するヒートポンプ給湯機に搭載の冷凍サイクル装置）においては、放熱器２の温度から吐出圧力を推定することが難しい。そこで、圧力スイッチ８は、圧縮機１が吐出する冷媒の圧力が予め設定された閾値を超えたときに動作し、スイッチ手段９は、圧力スイッチ８の動作に伴ってオンからオフへと切り替えてＡＣ電源回路を遮断する。これらを備えることによって、高圧側において冷媒が超臨界状態となる冷凍サイクル装置においても、吐出圧力の異常上昇を認知することができ、冷凍サイクル装置の運転を停止して、吐出圧力の異常上昇を防止する役割を果たす。
【０００４】
また、図１０は、別の従来のヒートポンプ給湯機に搭載の冷凍サイクル装置の構成図である。圧力スイッチや圧力センサーのような圧力検出手段を備えず、吐出圧力を冷凍サイクル装置の運転状態から推定する吐出圧力推定手段１１と、圧縮機１の電動機へ流れる電流値を検出する圧縮機電流検出手段１２と、電動機の回転速度を検出する圧縮機回転速度検出手段１３と、放熱器２から膨張弁３へ送られる冷媒の温度を検出する放熱器出口温度検出手段１４と、蒸発器４での冷媒温度を検出する蒸発器温度検出手段１５とを備え、吐出圧力推定手段１１が少なくとも圧縮機電流検出手段１２、圧縮機回転速度検出手段１３、放熱器出口温度検出手段１４及び蒸発器温度検出手段１５が検出した値に基づいて、吐出圧力推定手段１１が、予め記録されている電動機の消費電力と吐出圧力の相関関係から吐出圧力を推定する（例えば、特許文献２参照）。
【０００５】
そして、吐出圧力推定手段１１を備えることにより、圧力スイッチや圧力センサーのような圧力検出手段を備えずとも、吐出圧力の認知を可能としている。
【先行技術文献】
【特許文献】
【０００６】
【特許文献１】特開２００５−２４９２９３号公報
【特許文献２】特開２０１０−２０９０号公報
【発明の概要】
【発明が解決しようとする課題】
【０００７】
しかしながら、特許文献１に記載の冷凍サイクル装置においては、圧力スイッチ８や分岐配管１０が圧縮機１から吐出される冷媒の温度と略同一温度に上昇する（約９０〜１２０℃）ため、これらの部分からの熱漏洩を生じてしまい、冷凍サイクル装置のエネルギー消費効率を低下させてしまうという課題を有していた。
【０００８】
また、特許文献２に記載の冷凍サイクル装置においては、圧力スイッチや圧力センサーなどの圧力検出手段を備えずに、冷凍サイクル装置の運転状態から吐出圧力を推定する吐出圧力推定手段１１を備えており、圧力検出手段を備えることによる熱漏洩は生じないものの、圧縮機動力の算出に用いる圧縮機電流検出手段１２を具備する必要があり、冷凍サイクル装置のコストアップにつながる課題を有していた。
【０００９】
本発明は、前記従来の課題を解決するもので、圧力センサーや圧力スイッチなどの圧力検出手段や圧縮機電流検出手段を備えることなく、安価な構成で圧縮機の吐出圧力を推定できる冷凍サイクル装置を提供することを目的とする。
【課題を解決するための手段】
【００１０】
前記従来の課題を解決するために、本発明の冷凍サイクル装置は、少なくとも圧縮機、放熱器、膨張弁、蒸発器が環状に接続されて冷媒が循環する冷媒回路と、前記蒸発器を循環する冷媒の温度を検出する蒸発器温度検出手段と、外気温度を検出する外気温度検出手段と、前記圧縮機の回転数を検出する圧縮機回転数検出手段とを備えた冷凍サイクル装置において、前記圧縮機で消費される電力を推定する圧縮機消費電力推定手段として、前記冷凍サイクル装置に供給される電源の電流値を検出する電源電流検出手段と、前記電源の交流電圧が０Ｖを交叉するゼロクロスを検出するゼロクロス検出手段と、前記ゼロクロスの周期を用いて前記電源の電圧を推定する電源電圧推定手段を備え、前記蒸発器温度と前記外気温度と前記圧縮機回転数と前記圧縮機消費電力とを用いて前記圧縮機より吐出される冷媒の圧力を推定する吐出圧力推定手段を備え、前記吐出圧力推定手段により推定した吐出圧力に基づいて前記圧縮機または前記膨張弁を制御して動作させるものである。
【００１１】
これによって、圧縮機電流検出手段を備える必要なしに圧縮機消費電力を推定し、それゆえ吐出圧力を高い精度で推定することを可能とし、吐出圧力の異常上昇の発生を正しく認知し、冷凍サイクル装置の運転を停止して、設計圧力を超える異常圧力での運転を防止することができる。
【発明の効果】
【００１２】
吐出圧力推定に用いる圧縮機消費電力を、電源電流検出手段により検出された電源電流値と、電源の交流電圧が０Ｖを交叉するゼロクロスの周期を用いて推定された電源電圧値などから算出することにより、圧力スイッチ、圧力センサー、圧縮機電流検出手段を具備する必要がなく、安価かつ精度良く圧縮機の吐出圧力を推定することが可能となる。
【図面の簡単な説明】
【００１３】
【図１】本発明の実施の形態１における冷凍サイクル装置の構成図
【図２】同実施の形態１におけるゼロクロス信号の周期を示すグラフ
【図３】同実施の形態１におけるゼロクロス周期と電源電圧の相関関係を示すグラフ
【図４】同実施の形態１における送風機回転数に対する送風機消費電力の相関図
【図５】同実施の形態１における電源電流値に対する制御部消費電力の相関図
【図６】同実施の形態１における圧縮機消費電力と蒸発器温度に対する推定吐出圧力の相関図
【図７】同実施の形態２における冷凍サイクル装置の構成図
【図８】同実施の形態２におけるゼロクロス周期と電源電圧の相関関係を補正したグラフ
【図９】従来の冷凍サイクル装置の構成図
【図１０】従来の他の冷凍サイクル装置の構成図
【発明を実施するための形態】
【００１４】
第１の発明は、少なくとも圧縮機、放熱器、膨張弁、蒸発器が環状に接続されて冷媒が循環する冷媒回路と、前記蒸発器を循環する冷媒の温度を検出する蒸発器温度検出手段と、外気温度を検出する外気温度検出手段と、前記圧縮機の回転数を検出する圧縮機回転数検出手段とを備えた冷凍サイクル装置において、前記圧縮機で消費される電力を推定する圧縮機消費電力推定手段として、前記冷凍サイクル装置に供給される電源の電流値を検出する電源電流検出手段と、前記電源の交流電圧が０Ｖを交叉するゼロクロスを検出するゼロクロス検出手段と、前記ゼロクロスの周期を用いて前記電源の電圧を推定する電源電圧推定手段を備え、前記蒸発器温度と前記外気温度と前記圧縮機回転数と前記圧縮機消費電力とを用いて前記圧縮機より吐出される冷媒の圧力を推定する吐出圧力推定手段を備えることにより、前記圧縮機動力を精度よく算出し、吐出圧力を高い精度で推定することが可能となる。
【００１５】
第２の発明は、特に、第１の発明において、前記冷凍サイクル装置に供給される電源の交流電圧を整流、平滑した直流電圧を検出する直流電圧検出手段を備え、前記圧縮機運転前に前記直流電圧検出手段にて検出される直流電圧と、前記圧縮機運転前に前記ゼロクロス検出手段にて検出されるゼロクロスの周期を用いて、前記電源電圧推定手段で推定する電源の電圧値を補正することにより、電源の電圧値を精度良く算出することが可能となる。
【００１６】
第３の発明は、特に、第１または２の発明において、前記蒸発器内の冷媒蒸発促進のための送風機と、前記送風機の回転数を検出する送風機回転数検出手段と、検出された回転数より、前記送風機にて消費される電力を算出する送風機消費電力推定手段とを備え、前記圧縮機消費電力値は前記送風機消費電力値分を減算した値とすることにより、前記圧縮機消費電力をより精度よく算出し、吐出圧力を高い精度で推定することが可能となる。
【００１７】
第４の発明は、特に、第１から３のいずれか１つの発明において、少なくとも前記圧縮機、前記膨張弁、前記送風機等を制御する制御部と、前記制御部で消費される電力を前記電源電流検出手段にて検出された電流値より算出する制御部消費電力推定手段を備え、前記圧縮機消費電力値は前記制御部消費電力値分を減算した値とすることにより、前記圧縮機消費電力をより精度よく算出し、吐出圧力を高い精度で推定することが可能となる。
【００１８】
第５の発明は、特に、第１から４のいずれか１つの発明において、前記吐出圧力推定手段により推定した吐出圧力が予め設定された目標値に一致するように前記圧縮機または減圧機構を制御して動作させることにより、冷凍サイクル装置を高いエネルギー効率で運転することができる。
【００１９】
第６の発明は、特に、第１から５のいずれか１つの発明において、前記吐出圧力推定手段により推定した吐出圧力が予め設定された閾値を超えると前記圧縮機または減圧機構を制御して動作させることにより、冷凍サイクル装置の吐出圧力の異常上昇を防止することができる。
【００２０】
第７の発明は、特に、第１から６のいずれか１つの発明において、圧縮機駆動時、冷媒回路の高圧は超臨界圧力で運転することにより、吐出圧力を高い精度で推定することができる。
【００２１】
第８の発明は、特に、冷媒として、二酸化炭素を用いることにより、冷媒が漏洩しても燃焼の危険がなく、安心して冷凍サイクル装置を運転することができる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における冷凍サイクル装置の構成図である。図１に示すように、制御部１８には、電源電流検出手段１９、ゼロクロス検出手段２０、電源電圧推定手段２１、送風機回転数検出手段２２、送風機消費電力推定手段２３、制御部消費電力推定手段２４、圧縮機消費電力推定手段２５、圧縮機回転数検出手段２８、膨張弁制御手段２６、圧縮機制御手段２７、吐出圧力推定手段１１を備える。
【００２４】
また、冷媒回路５側には圧縮機１、放熱器２、膨張弁３および蒸発器４が環状に接続されて構成され、冷媒として二酸化炭素が循環し、入水配管６、出湯配管７、蒸発器内の冷媒蒸発促進のための送風機１７、蒸発器温度検出手段１５、外気温度検出手段１６、吐出温度検出手段２９を備える。蒸発器温度検出手段１５は、蒸発器４の冷媒入口の配管表面上に設けられる。外気温度検出手段１６は、蒸発器４へと導入される空気の温度を検出するように、蒸発器４の風上側に設けられる。吐出温度検出手段２９は、圧縮機１から放熱器２へと冷媒を導入する配管の表面上に設けられる。
【００２５】
以上のように構成された冷凍サイクル装置について、以下にその動作および作用を説明する。
【００２６】
冷凍サイクル装置が運転を行っている場合、圧縮機１の回転数ｆｃは、放熱器２における加熱能力が目標値となるように、予め設定された回転数に圧縮機制御手段２７により決定される。これによって、冷凍サイクル装置は、運転条件に応じて必要な加熱能力を満足する圧縮機回転数を選択して運転を行うことができる。
【００２７】
膨張弁３の開度は、吐出温度検出手段２９が検出する吐出温度Ｔｄが予め設定された目標値に一致するように、膨張弁制御手段２６により制御され決定される。このようにすることによって、冷凍サイクル装置のエネルギー消費効率が最大になるように膨張弁３を制御して動作させることができる。なお、膨張弁制御手段２６は、外気温度が高くなるほど冷媒の過熱度が大きくなるように膨張弁３を制御するため、圧縮機１に吸入される冷媒の過熱度は外気温度Ｔａｔと相関を有する。
【００２８】
電源電流検出手段１９は、冷凍サイクル装置に供給される全電流値ＩＨＰを検出し、検出した電流値ＩＨＰを信号として圧縮機消費電力推定手段２５に送る。
【００２９】
ゼロクロス検出手段２０は、冷凍サイクル装置に供給される電源の交流電圧が０Ｖを交叉するゼロクロスを検出し、検出と同時に検出したことをゼロクロス信号として電源電圧推定手段２１に送る。
【００３０】
図２はゼロクロス信号の周期を示すグラフである。電源電圧推定手段２１は、ゼロクロス検出手段２０からゼロクロス信号を受け、図２に示すＴｎを計測し、さらに、Ｔｎよりゼロクロス信号の周期Ｄｎを計測する。
【００３１】
図３はゼロクロス周期Ｄｎと電源電圧ＶＨＰの相関関係を示すグラフである。図３に示す相関関係のグラフより、ゼロクロス信号の周期Ｄｎから電源電圧ＶＨＰを算出し、算出した電源電圧ＶＨＰを信号として圧縮機消費電力推定手段２５に送る。
【００３２】
蒸発器温度検出手段１５は、蒸発器４の冷媒側入口における配管表面の温度を検出し、蒸発器４における冷媒の温度Ｔｅを信号として吐出圧力推定手段１１に送る。蒸発器温度検出手段１５は、配管表面の温度を検出しているため、冷凍サイクル装置の運転が略定常状態である場合は、検出した蒸発器温度Ｔｅと配管内部の冷媒温度が略同一になる。
【００３３】
外気温度検出手段１６は、蒸発器４へと導入される空気の温度を検出し、外気温度Ｔａｔを信号として吐出圧力推定手段１１に送る。
【００３４】
圧縮機回転数検出手段２８は、圧縮機の回転数を検出し、圧縮機回転数ｆＨＺを信号として吐出圧力推定手段１１に送る。
【００３５】
図４は送風機回転数に対する送風機消費電力の相関図である。送風機消費電力推定手段２３は、送風機１７の回転数を検出する送風機回転数検出手段２２にて検出された回転数ＦＭｒｐｍより、あらかじめ決定された図４から送風機消費電力を算出し、送風機消費電力Ｗｆを信号として圧縮機消費電力推定手段２５に送る。
【００３６】
図５は電源電流値に対する制御部消費電力の相関図である。制御部消費電力推定手段２４は、電源電流検出手段１９にて検出された電源電流値ＩＨＰより、あらかじめ決定された図５から制御部消費電力を算出し、制御部消費電力Ｗｐを信号として圧縮機消費電力推定手段２５に送る。
【００３７】
圧縮機消費電力推定手段２５は、電源電流検出手段１９より信号として送られた電源電流値ＩＨＰ、電源電圧推定手段２１より信号として送られた電源電圧値ＶＨＰより冷凍サイクル消費電力ＷＨＰを算出する。また、送風機消費電力推定手段２３より信号として送られた送風機消費電力値Ｗｆと制御部消費電力推定手段２４より信号として送られた制御部消費電力Ｗｐを冷凍サイクル消費電力ＷＨＰから減算し、圧縮機消費電力Ｗｃを算出して、算出された圧縮機消費電力Ｗｃを信号として吐出圧力推定手段１１に送る。
【００３８】
図６は、圧縮機消費電力と蒸発器温度に対する推定吐出圧力の相関図である。吐出圧力推定手段１１は、圧縮機消費電力推定手段２５より信号として送られた圧縮機消費電力Ｗｃと、蒸発器温度検出手段１５より信号として送られた蒸発器温度Ｔｅとにより、あらかじめ決定された図６を用いて、吐出圧力Ｐｄを推定する。なお、外気温度検出手段１６より信号として送られた外気温度Ｔａｔと、圧縮機回転数検出手段２８より信号として送られた圧縮機回転数ｆＨＺとにより、外気温度や圧縮機回転数変動の影響などを吐出圧力Ｐｄに補正をかけることにより、より検出精度を向上させることが可能となる。
【００３９】
圧縮機制御手段２７は、吐出圧力推定手段１１が前述のようにして推定した吐出圧力Ｐｄが予め設定された閾値Ｐ０を超えると、冷凍サイクル装置に圧力の異常上昇が発生したと判断して運転を停止する。
【００４０】
以上のように、本実施の形態においては、圧縮機電流検出手段を備える必要なしに圧縮機消費電力Ｗｃを推定し、それゆえ吐出圧力を高い精度で推定することを可能とする。そして、吐出圧力の異常上昇の発生を正しく認知し、冷凍サイクル装置の運転を停止して、設計圧力を超える異常圧力での運転を防止することができる。
【００４１】
なお、本実施の形態の圧縮機制御手段２７は、吐出圧力推定手段１１により推定した吐出圧力Ｐｄが、予め設定された閾値Ｐ０を超えると、圧縮機１の回転数を低下させるものであってもよい。このようにすることにより、冷凍サイクル装置の起動直後などの過渡状態においても、冷凍サイクル装置の圧力の異常上昇発生を正しく判断し、圧縮機１の回転
数を低下させて、設計圧力を超える吐出圧力の異常上昇を抑制することができる。
【００４２】
なお、本実施の形態の膨張弁制御手段２６は、吐出圧力推定手段１１により推定した吐出圧力Ｐｄが、予め設定された閾値Ｐ０を超えると、膨張弁３の開度を大きくするものであってもよい。このようにすることにより、冷凍サイクル装置の起動直後などの過渡状態においても、圧力の異常上昇発生を正しく判断し、膨張弁３の開度を大きくして、設計圧力を超える吐出圧力の異常上昇を抑制することができる。
【００４３】
（実施の形態２）
図７は、本発明の第２の実施の形態における冷凍サイクル装置の構成図である。図７に示すように、制御部１８には、実施の形態１の構成に加えて直流電圧検出手段３０を備えている。
【００４４】
直流電圧検出手段３０は、圧縮機１の運転前に電源の交流電圧を整流、平滑した直流電圧ＶＨＰＤＣを検出し、検出された直流電圧ＶＨＰＤＣを基にして電源電圧ＶＨＰＡＣを算出し、算出した電源電圧ＶＨＰＡＣを信号として電源電圧推定手段２１に送る。
【００４５】
図８はゼロクロス周期と電源電圧の相関関係を補正したグラフである。電源電圧推定手段２１は、同時刻に送られてきた直流電圧ＶＨＰＤＣとゼロクロス信号の周期Ｄｎを基にして、ゼロクロス信号の周期Ｄｎと電源電圧ＶＨＰの相関関係を補正する。但し、ゼロクロス信号の周期Ｄｎと電源電圧ＶＨＰの相関関係の補正は、力率改善回路等の影響を受けるため、圧縮機運転中は行わないこととする。
【００４６】
そして、電源電圧推定手段２１は、図８に示す補正された相関関係より、ゼロクロス信号の周期Ｄｎから電源電圧ＶＨＰを算出し、算出した電源電圧ＶＨＰを信号として圧縮機消費電力推定手段２５に送る。
【００４７】
これにより圧縮機運転中の電源電圧ＶＨＰを精度良く検出することができ、結果、吐出圧力推定手段１１において推定する吐出圧力Ｐｄの精度を向上することができる。
【産業上の利用可能性】
【００４８】
以上のように、本発明にかかる冷凍サイクル装置は、圧力センサーや圧力スイッチなどを備えずとも、超臨界状態を含む圧縮機からの吐出圧力を推定することができ、ヒートポンプ給湯機や温水暖房装置など、高圧側で冷媒を超臨界状態で使用する冷凍サイクル装置において、エネルギー効率の向上や保護装置の用途にも適用できる。
【符号の説明】
【００４９】
１  圧縮機
２  放熱器
３  膨張弁
４  蒸発器
５  冷媒回路
６  入水配管
７  出湯配管
８  圧力スイッチ
９  スイッチ手段
１０  分岐配管
１１  吐出圧力推定手段
１２  圧縮機電流検出手段
１３  圧縮機回転速度検出手段
１４  放熱器出口温度検出手段
１５  蒸発器温度検出手段
１６  外気温度検出手段
１７  送風機
１８  制御部
１９  電源電流検出手段
２０  ゼロクロス検出手段
２１  電源電圧推定手段
２２  送風機回転数検出手段
２３  送風機消費電力推定手段
２４  制御部消費電力推定手段
２５  圧縮機消費電力推定手段
２６  膨張弁制御手段
２７  圧縮機制御手段
２８  圧縮機回転数検出手段
２９  吐出温度検出手段
３０  直流電圧検出手段
【図１】
2013133966.tif 000003
【図２】
2013133966.tif 000004
【図３】
2013133966.tif 000005
【図４】
2013133966.tif 000006
【図５】
2013133966.tif 000007
【図６】
2013133966.tif 000008
【図７】
2013133966.tif 000009
【図８】
2013133966.tif 000010
【図９】
2013133966.tif 000011
【図１０】
2013133966.tif 000012